(57)【要約】【課題】木棚を提供する。【解決手段】立柱及び立柱間に固定されるラミネート板があり、前記立柱は長方体で、相対した両側壁に間隔を置かれ、二個又は二個以上の取付け用段付け穴が並べられており、前記ラミネート板は鉄片で四個の立柱間に固定される。前記ミネート板と頂板は鉄片を通って立柱に固定されるようになるため、木棚の安定性がよいこと、そして、対称した立柱の両側壁は、対称して並んでいる取付け穴があり、鉄片とラミネート板にそれぞれつながり固定されており、複数の木棚は連体状となり、木棚の取り付けや放置は場所の大きさにより対応でき、複数の木棚接続体の安定性もよいものである。【選択図】図２
0003140430.tif 000002
【実用新案登録請求の範囲】
【請求項１】
立柱及び立柱間に固定されるラミネート板があり、前記立柱は長方体で、相対した両側壁に間隔を置かれ、二個又は二個以上の取付け用段付け穴が並べられており、前記ラミネート板は鉄片で四個の立柱間に固定されることを特徴とする、木棚。  
【請求項２】
前記鉄片はＺ字形鉄片であり、前記Ｚ字形鉄片は二固定側と一支え側があり、固定側にネジくぎを止めるための止め穴があり、固定側及び支え側の挟み角は直角であり、前記ラミネート板は枠ありフレームがあり、枠ありフレームの内壁に取付け用段付け穴があり、Ｚ字形鉄片の一固定側は立柱に固定され、他方の固定側はラミネート板の枠ありフレームに固定されることを特徴とする、請求項１に記載の木棚。
【請求項３】
前記鉄片は直角形鉄片で、二固定側があり、その固定側にネジくぎを止めるための止め穴があり、二固定側の挟み角は直角であり、その一固定側は立柱に固定され、他方の固定側はラミネート板の底面に固定されることを特徴とする、請求項１に記載の木棚。
【請求項４】
前記立柱は取付け用段付け穴なしの両側壁に凹み槽があることを特徴とする、請求項１に記載の木棚。
【請求項５】
前記立柱の両側壁の取付け用段付け穴は、対称しながら並んでおり、又は対称した二取付け用段付け穴につながることを特徴とする、請求項１に記載の木棚。
【請求項６】
前記立柱は二個が一組で、横梁と共に一側框となることを特徴とする、請求項１に記載の木棚。
【請求項７】
前記二個又は二個以上の棚体はつながって、接続体となることを特徴とする、請求項１に記載の木棚。
【考案の詳細な説明】
【技術分野】
【０００１】
本考案は木製陳列棚に関わり、特に並び組合せることができる木棚である。
【背景技術】
【０００２】
物品を陳列するための木棚は、家庭内に用いられ、売り場、博物館などの公衆場所に用いられるものであり、木棚の安定性及び取り付けの対応性は、木棚の実用性を判断するための重要な基準であり、市販によく見られる木棚構造は図１に示すように、前記木棚は四支え柱１’があり、支え柱にネジくぎを止めるための通し穴があり、ネジくぎ３’を止めて、ラミネート板２’と頂板を四支え柱の間に固定するようにし、このような構造では、ラミネート板又は頂板はネジくぎで、支え柱に固定されるのみであり、棚体の安定性がよくないほかに、その木棚仕様は決まったもので、場所の大きさや取り付けへの対応性がよくないので、常に場所の大きさに応じて作らなければならない、という欠点がある。
【考案の開示】
【考案が解決しようとする課題】
【０００３】
上述の欠点を解決するために、本考案は安定性がよく、取り付けの対応性がよい木棚を提供することを目的とする。
【課題を解決するための手段】
【０００４】
上述の目的を達成させるために、本考案の技術手段としては、立柱及び立柱間に固定されるラミネート板があり、前記立柱は長方体で、相対した両側壁に間隔を置かれ、二個又は二個以上の取付け用段付け穴が並べられており、前記ラミネート板は鉄片で四個の立柱間に固定されることを特徴とする、木棚を提供することである。
【０００５】
前記鉄片はＺ字形鉄片であり、前記Ｚ字形鉄片は二固定側と一支え側があり、固定側にネジくぎを止めるための止め穴があり、固定側及び支え側の挟み角は直角であり、前記ラミネート板は枠ありフレームがあり、枠ありフレームの内壁に取付け用段付け穴があり、Ｚ字形鉄片の一固定側は立柱に固定され、他方の固定側はラミネート板の枠ありフレームに固定される。
【０００６】
前記鉄片は直角形鉄片で、二固定側があり、その固定側にネジくぎを止めるための止め穴があり、二固定側の挟み角は直角であり、その一固定側は立柱に固定され、他方の固定側はラミネート板の底面に固定される。
【０００７】
前記立柱は取付け用段付け穴なしの両側壁に凹み槽がある。前記立柱の両側壁の取付け用段付け穴は対称しながら並んでおり、又は対称した二取付け用段付け穴につながる。前記立柱は二個が一組で横梁と共に一側框となる。前記二個又は二個以上の棚体はつながって接続体となる。
【０００８】
本考案の前記木棚は、前記ラミネート板と頂板は鉄片によって立柱に固定されるために、木棚の安定性がよいこと、そして、対称した立柱の両側壁は、対称して並んでいる取付け穴があり、鉄片とラミネート板にそれぞれつながり固定されており、複数の木棚は連体状となり、木棚の取り付けや放置は場所の大きさにより対応でき、複数の木棚接続体の安定性もよいのである。
【考案を実施するための最良の形態】
【０００９】
図２と図３に示すように、立柱１及び立柱間に固定されるラミネート板２が設けられる木棚であり、前記立柱１は長方体で、相対した両側壁に間隔を置かれた七取付け用段付け穴１１が並べられ、立柱の両側壁の取付け用段付け穴１１は対称しながら並べられており、前記ラミネート板用Ｚ字形鉄片は四立柱の間に並べられ、前記ラミネート板は枠ありフレームがあり、ラミネート板の枠ありフレーム２１の内壁に取付け用段付け穴１１があり、立柱両側壁に対称しながら並べられた取付け用段付け穴は、つながるように設けられることができる。
【００１０】
Ｚ字形鉄片３は二固定側３１と一支え側３２があり、固定側にネジくぎを止めるための止め穴３３があり、固定側及び支え側の挟み角は直角であり、その一固定側はネジくぎで立柱に固定され、他方の固定側はネジくぎでラミネート板枠ありフレーム２１に固定される。
【００１１】
図４に示すように、もう一つのＺ字形鉄片は、二固定側３５と一支え側３４があり、固定側にネジくぎを止めるための止め穴３７があり、その支え側３４の幅は二固定側３５のより大きくなり、支え側の両側はそれぞれ止め穴３６があり、ネジくぎによって支え側をラミネート板の枠ありフレームの底面に固定することができるが、このようにＺ字形鉄片でラミネート板を立柱の間に固定すれば、木棚の安定性が高くなり、木棚の前後や左右に揺れたりすることを防ぐことができる。
【００１２】
図５に示すように、場所の大きさに応じて二棚体はつながり、接続体となっており、その接続方法として、中間立柱の両側の取付け用段付け穴は、それぞれネジくぎによりＺ字鉄片の固定側につながり固定され、Ｚ字型鉄片の他方の固定側はネジくぎで、ラミネート板の枠ありフレームにつながり固定されるようになり、二立柱が一組で横梁５と共に側框となる。
【００１３】
図６と図７に示すように、直角形鉄片４は二固定側４１があり、固定側にネジくぎを止めるための止め穴４２があり、二固定側の挟み角は直角で、その一固定側はネジくぎで立柱１につながり固定され、他方固定側はネジくぎでラミネート板２につながり固定されている。
【００１４】
図８は、長方体立柱の取付け孔なし両側に凹み槽１２があり、木棚に組み立ててから、両立柱の凹み槽は相対して設けられた凹み槽であり、二凹み槽の間に木棚の側壁として使われる仕切り板を入れることができる。
【００１５】
図９では、立柱１に取付け用段付け穴１１の二個が一組で、取り付けるとき、Ｚ字形鉄片とラミネート板の枠ありフレームを止めるためのネジくぎが通られるのに使われ、ラミネート板の枠ありフレームを通ってから立柱に固定されるようになるため、木棚の安定性が向上される。
【図面の簡単な説明】
【００１６】
【図１】従来の木棚構造のイメージ図
【図２】本考案の木棚構造のイメージ図
【図３】Ｚ字形鉄片構造のイメージ図
【図４】もう一つのＺ字形鉄片構図のイメージ図
【図５】複数の木棚接続体構造のイメージ図
【図６】直角形鉄片構造のイメージ図
【図７】もう一つの木棚構造のイメージ図
【図８】立柱構造のイメージ図
【図９】もう一つの立柱構造のイメージ図
【符号の説明】
【００１７】
１’    支え柱
２’    ラミネート板
３’    取付け用ネジくぎ
１      立柱
１１    取付け用段付け穴
１２    凹み槽
２      ラミネート板
２１    ラミネート板枠ありフレーム
３      Ｚ字形鉄片
３１    固定側
３５    固定側
３２    支え側
３４    支え側
３３    止め穴
３６    止め穴
３７    止め穴
４      直角形鉄片
４１    固定側                        
４２    止め穴
５      横梁
【図１】
0003140430.tif 000003
【図２】
0003140430.tif 000004
【図３】
0003140430.tif 000005
【図４】
0003140430.tif 000006
【図５】
0003140430.tif 000007
【図６】
0003140430.tif 000008
【図７】
0003140430.tif 000009
【図８】
0003140430.tif 000010
【図９】
0003140430.tif 000011